【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
座標入力装置からの入力座標に基づき描画オブジェクトを描画する描画処理手段と、
前記描画処理手段により描画された第１の描画オブジェクトの描画時における入力座標の移動速度を示す第１の移動速度と、該第１の描画オブジェクトの描画終了位置から次に描画される第２の描画オブジェクトの描画開始位置までの入力座標の移動速度を示す第２の移動速度とを導出する導出手段と、
前記導出手段により導出された前記第１の移動速度及び前記第２の移動速度を含む情報に基づき前記第１の描画オブジェクトと前記第２の描画オブジェクトのグループ化を行うか否かを判定する判定手段と、
前記判定手段による判定結果に基づき前記第１及び前記第２の描画オブジェクトのグループ化を行うグループ化処理手段と
を具備することを特徴とする描画編集システム。
【請求項２】
前記判定手段は、
前記導出手段により導出された前記第１の移動速度及び前記第２の移動速度の差が所定内に収まる場合に、前記第１及び前記第２の描画オブジェクトのグループ化を行うと判定する
ことを特徴とする請求項１記載の描画編集システム。
【請求項３】
前記導出手段は、
前記第１の描画オブジェクトの描画が終了した時点から前記第２の描画オブジェクトの描画が開始されるまでの時間を更に導出し、
前記判定手段は、
前記導出手段により導出された前記第１の移動速度と、前記第２の移動速度と、前記時間とに基づき前記第１及び前記第２の描画オブジェクトのグループ化を行うか否かの判定を行う
ことを特徴とする請求項１記載の描画編集システム。
【請求項４】
前記導出手段は、
前記第１の描画オブジェクトから前記第２の描画オブジェクトまでの距離を更に導出し、
前記判定手段は、
前記導出手段により導出された前記第１の移動速度と、前記第２の移動速度と、前記距離とに基づき前記第１及び前記第２の描画オブジェクトのグループ化を行うか否かの判定を行う
ことを特徴とする請求項１記載の描画編集システム。
【請求項５】
前記導出手段は、
前記第１の描画オブジェクトの描画が終了した時点から前記第２の描画オブジェクトの描画が開始されるまでの時間と、前記第１の描画オブジェクトから前記第２の描画オブジェクトまでの距離とを更に導出し、
前記判定手段は、
前記導出手段により導出された前記第１の移動速度と、前記第２の移動速度と、前記時間と、前記距離とに基づき前記第１及び前記第２の描画オブジェクトのグループ化を行うか否かの判定を行う
ことを特徴とする請求項１記載の描画編集システム。
【請求項６】
前記導出手段は、
前記第２の描画オブジェクトの描画開始位置から前記第１の描画オブジェクトまでの最短距離、
前記第２の描画オブジェクトから前記第１の描画オブジェクトまでの最短距離、
のいずれかを前記距離として導出する
ことを特徴とする請求項４又は５に記載の描画編集システム。
【請求項７】
前記判定手段は、
前記導出手段により導出された情報を評価関数により処理した結果に基づき前記第１及び前記第２の描画オブジェクトのグループ化を行うか否かの判定を行う
ことを特徴とする請求項３乃至５のいずれか１項に記載の描画編集システム。
【請求項８】
描画編集システムのグループ化処理方法であって、
描画処理手段が、座標入力装置からの入力座標に基づき描画オブジェクトを描画する描画処理工程と、
導出手段が、前記描画処理工程により描画された第１の描画オブジェクトの描画時における入力座標の移動速度を示す第１の移動速度と、該第１の描画オブジェクトの描画終了位置から次に描画される第２の描画オブジェクトの描画開始位置までの入力座標の移動速度を示す第２の移動速度とを導出する導出工程と、
判定手段が、前記導出工程により導出された前記第１の移動速度及び前記第２の移動速度を含む情報に基づき前記第１の描画オブジェクトと前記第２の描画オブジェクトのグループ化を行うか否かを判定する判定工程と、
グループ化処理手段が、前記判定工程による判定結果に基づき前記第１及び前記第２の描画オブジェクトのグループ化を行うグループ化処理工程と
を含むことを特徴とする描画編集システムのグループ化処理方法。
【請求項９】
コンピュータを、
座標入力装置からの入力座標に基づき描画オブジェクトを描画する描画処理手段、
前記描画処理手段により描画された第１の描画オブジェクトの描画時における入力座標の移動速度を示す第１の移動速度と、該第１の描画オブジェクトの描画終了位置から次に描画される第２の描画オブジェクトの描画開始位置までの入力座標の移動速度を示す第２の移動速度とを導出する導出手段、
前記導出手段により導出された前記第１の移動速度及び前記第２の移動速度を含む情報に基づき前記第１の描画オブジェクトと前記第２の描画オブジェクトのグループ化を行うか否かを判定する判定手段、
前記判定手段による判定結果に基づき前記第１及び前記第２の描画オブジェクトのグループ化を行うグループ化処理手段
として機能させるための描画編集プログラム。
【手続補正２】
【補正対象書類名】明細書
【補正対象項目名】０００９
【補正方法】変更
【補正の内容】
【０００９】
上記目的を達成するため、本発明の一態様による描画編集システムは、座標入力装置からの入力座標に基づき描画オブジェクトを描画する描画処理手段と、前記描画処理手段により描画された第１の描画オブジェクトの描画時における入力座標の移動速度を示す第１の移動速度と、該第１の描画オブジェクトの描画終了位置から次に描画される第２の描画オブジェクトの描画開始位置までの入力座標の移動速度を示す第２の移動速度とを導出する導出手段と、前記導出手段により導出された前記第１の移動速度及び前記第２の移動速度を含む情報に基づき前記第１の描画オブジェクトと前記第２の描画オブジェクトのグループ化を行うか否かを判定する判定手段と、前記判定手段による判定結果に基づき前記第１及び前記第２の描画オブジェクトのグループ化を行うグループ化処理手段とを具備することを特徴とする。
【手続補正３】
【補正対象書類名】明細書
【補正対象項目名】００１０
【補正方法】変更
【補正の内容】
【００１０】
また、本発明の一態様は、描画編集システムのグループ化処理方法であって、描画処理手段が、座標入力装置からの入力座標に基づき描画オブジェクトを描画する描画処理工程と、導出手段が、前記描画処理工程により描画された第１の描画オブジェクトの描画時における入力座標の移動速度を示す第１の移動速度と、該第１の描画オブジェクトの描画終了位置から次に描画される第２の描画オブジェクトの描画開始位置までの入力座標の移動速度を示す第２の移動速度とを導出する導出工程と、判定手段が、前記導出工程により導出された前記第１の移動速度及び前記第２の移動速度を含む情報に基づき前記第１の描画オブジェクトと前記第２の描画オブジェクトのグループ化を行うか否かを判定する判定工程と、グループ化処理手段が、前記判定工程による判定結果に基づき前記第１及び前記第２の描画オブジェクトのグループ化を行うグループ化処理工程とを含むことを特徴とする。
【手続補正４】
【補正対象書類名】明細書
【補正対象項目名】００１１
【補正方法】変更
【補正の内容】
【００１１】
また、本発明の一態様による描画編集プログラムは、コンピュータを、座標入力装置からの入力座標に基づき描画オブジェクトを描画する描画処理手段、前記描画処理手段により描画された第１の描画オブジェクトの描画時における入力座標の移動速度を示す第１の移動速度と、該第１の描画オブジェクトの描画終了位置から次に描画される第２の描画オブジェクトの描画開始位置までの入力座標の移動速度を示す第２の移動速度とを導出する導出手段、前記導出手段により導出された前記第１の移動速度及び前記第２の移動速度を含む情報に基づき前記第１の描画オブジェクトと前記第２の描画オブジェクトのグループ化を行うか否かを判定する判定手段、前記判定手段による判定結果に基づき前記第１及び前記第２の描画オブジェクトのグループ化を行うグループ化処理手段として機能させる。